(57)【特許請求の範囲】
【請求項１】
代行徴収サーバ、ショップサーバ及び移動端末が通信ネットワークにより接続されて構成される料金代行徴収システムにおいて、
前記移動端末の識別情報、該移動端末の契約者に付与される暗証番号、該移動端末の利用者による商取引の際に用いられる取引用パスワードが決定され、
前記移動端末は、
前記ショップサーバに対し、注文情報を、対応する注文取引番号及び自移動端末の識別情報とともに送信する第１の情報送信手段と、
前記代行徴収サーバにより送信された取引応答に基づいて取引用パスワードの入力を促し、入力された取引用パスワードを、前記自移動端末の識別情報とともに前記代行徴収サーバに送信する取引用パスワード送信手段と
を備え、
前記ショップサーバは、
前記移動端末により送信された前記注文情報、注文取引番号及び移動端末の識別情報を記憶する注文ＤＢと、
前記移動端末により送信された前記注文情報に基づいて、料金情報を生成する料金情報生成手段と、
自ショップサーバに付与されたショップサーバの識別番号及び認証パスワードを前記代行徴収サーバに送信する情報送信手段と、
前記代行徴収サーバからの認証結果に応じて、該認証が成功している場合に、前記料金情報、注文取引番号及び移動端末の識別情報を前記代行徴収サーバに送信する商取引処理手段と、
前記代行徴収サーバにより代行徴収を行うことが通知された場合に、注文内容及び注文を承諾したことを前記移動端末に通知する商取引処理手段と
を備え、
前記代行徴収サーバは、
前記ショップサーバから送信される前記ショップサーバの識別番号及び認証パスワードが認証ＤＢに登録されているか否かに基づいて、前記ショップサーバの認証を行うショップサーバ認証手段と、
前記認証ＤＢには、代行徴収サービスを利用する移動端末の識別情報、暗証番号及び取引用パスワードと、ショップサーバの識別番号及び認証パスワードが登録され、前記認証ＤＢは、前記ショップサーバ認証手段による認証が成功した場合に前記ショップサーバから送信される前記注文取引番号、前記移動端末の識別情報及び料金情報を対応付けて記憶し、
前記ショップサーバから送信される前記注文取引番号、前記移動端末の識別情報及び料金情報に対する取引応答を、前記移動端末の識別情報により特定される移動端末に送信する代行徴収処理手段と、
前記移動端末により送信された移動端末の識別情報、暗証番号及び取引用パスワードが認証ＤＢに登録されているか否かに基づいて、移動端末の認証を行う移動端末認証手段と、
前記移動端末認証手段による認証が成功した場合に、該移動端末に対して、注文に対する代金の代行徴収を了承する要求を行い、該移動端末からの応答に応じて、前記ショップサーバに対して代行徴収を行うことを通知する代行徴収処理手段と
を備え、
前記通信ネットワークは、
前記代行徴収サーバの識別情報、前記移動端末の識別情報及び前記代行徴収サーバと前記移動端末との間の通信の接続の可否を示す情報とを対応付けて保有する情報保有手段と、
前記情報保有手段により保有される情報に基づいて、前記取引応答の発信元情報と該代行徴収サーバの識別情報との比較結果及び前記取引応答の着信先情報と該移動端末の識別情報との比較結果に基づいて、前記代行徴収サーバと前記移動端末との間の通信の接続の可否を判定する接続可否判定手段と、
前記接続可否判定手段により接続可能と判定された場合に、前記ショップサーバと前記移動端末との通信中において、前記代行徴収サーバと前記移動端末との通信を可能にする第１の通信制御手段と、
を備える料金代行徴収システム。
【請求項２】
請求項１に記載の料金代行徴収システムにおいて、
前記代行徴収サーバは、前記移動端末に対し、代行徴収の了承の確認を送信する代行徴収了承確認送信手段
を備え、
前記移動端末は、前記代行徴収サーバから送信される代行徴収の了承の確認に応じて、該代行徴収サーバに対し、代行徴収の了承の可否を送信する代行徴収了承可否手段
を備え、
前記代行徴収サーバは、前記移動端末から代行徴収の了承が送信された場合に、該移動端末の契約者に対する所定の料金代行請求処理を行う料金代行請求手段
を備えるようにした料金代行徴収システム。
【請求項３】
請求項1又は２に記載の料金代行徴収システムにおいて、
前記移動端末内の第1の情報送信手段は、当該移動端末の識別情報を送信し、
前記ショップサーバは、前記移動端末の識別情報を、前記代行徴収サーバに送信する第２の情報送信手段
を備え、
前記代行徴収サーバは、前記移動端末の識別情報に基づいて、該移動端末の契約者に対する代行徴収の了承の確認を送信する代行徴収了承確認送信手段
を備えるようにした料金代行徴収システム。
【請求項４】
請求項１乃至３の何れかに記載の料金代行徴収システムにおいて、
前記ショップサーバ内の第２の情報送信手段は、自ショップサーバの識別情報を送信し、
前記代行徴収サーバは、前記ショップサーバから送信される該ショップサーバの識別情報が認証ＤＢに登録されているか否かに基づいて、該ショップサーバの認証を行うショップサーバ認証手段
を備え、
前記代行徴収サーバは、前記ショップサーバ認証手段による認証が成功した場合に、前記移動端末の契約者に対する所定の料金代行請求処理を行う料金代行請求手段
を備えるようにした料金代行徴収システム。
【請求項５】
請求項４に記載の料金代行徴収システムにおいて、
前記ショップサーバ内の第２の情報送信手段は、自ショップサーバに対応する認証パスワードを送信し、
前記代行徴収サーバ内のショップサーバ認証手段は、前記ショップサーバから送信されるパスワードに基づいて、該ショップサーバの認証を行うようにした料金代行徴収システム。
【請求項６】
請求項１乃至５の何れかに記載の料金代行徴収システムにおいて、
前記移動端末は、前記代行徴収サーバに対し、前記移動端末の契約者に対応する第１のパスワードを送信するパスワード送信手段
を備え、
前記代行徴収サーバは、前記移動端末から送信される前記移動端末の契約者に対応する第１のパスワードが認証ＤＢに登録されているか否かに基づいて、前記移動端末の契約者の確認を行う契約者確認手段
を備え、
前記代行徴収サーバ内の料金代行請求手段は、前記契約者確認手段による確認が成功した場合に、前記移動端末の契約者に対する所定の料金代行請求処理を行い、
前記第１のパスワードは取引用パスワードであるようにした料金代行徴収システム。
【請求項７】
請求項６に記載の料金代行徴収システムにおいて、
前記代行徴収サーバは、前記移動端末の契約者に対応する第２のパスワードが入力された場合に、当該移動端末の契約者に対応する第１のパスワードを変更可能とし、前記移動端末の要求に応じて前記第１のパスワードを変更するパスワード変更手段
を備え、
前記第２のパスワードは暗証番号である料金代行徴収システム。
【請求項８】
請求項１乃至７の何れかに記載の料金代行徴収システムにおいて、
前記代行徴収サーバ内の料金代行請求手段は、前記移動端末の契約者に対する請求金額が限度額に達する場合に、前記移動端末の契約者に対する所定の料金代行請求処理を中止するようにした料金代行徴収システム。
【請求項９】
請求項８に記載の料金代行徴収システムにおいて、
前記代行徴収サーバは、前記移動端末の契約者に対する請求金額が限度額に達した旨を当該移動端末及び前記ショップサーバへ通知する限度額超過通知手段
を備える料金代行徴収システム。
【請求項１０】
請求項１乃至９の何れかに記載の料金代行徴収システムにおいて、
前記移動端末は、前記限度額の変更を要求する限度額変更要求手段
を備え、
前記代行徴収サーバ内の料金代行請求手段は、変更後の限度額の範囲内において、該移動端末の契約者に対する所定の料金代行請求処理を行うようにした料金代行徴収システム。
【請求項１１】
請求項１０に記載の料金代行徴収システムにおいて、
前記代行徴収サーバ内の料金代行請求手段は、所定の期間内のみ、変更後の限度額の範囲内において、該移動端末の契約者に対する所定の料金代行請求処理を行うようにした料金代行徴収システム。
【請求項１２】
請求項１乃至１１の何れかに記載の料金代行徴収システムにおいて、
前記ショップサーバは、前記移動端末に対し、商取引の対象に関する情報を送信する商取引対象情報送信手段
を備え、
前記移動端末内の第１の情報送信手段は、前記ショップサーバから送信される商取引の対象に関する情報に対応する注文情報を送信するようにした料金代行徴収システム。
【請求項１３】
請求項１乃至１２の何れかに記載の料金代行徴収システムにおいて、
前記ショップサーバは、前記代行徴収サーバに対し、商取引に関する情報を送信する商取引情報送信手段
を備え、
前記代行徴収サーバ内の料金代行請求手段は、前記ショップサーバから送信される商取引に関する情報に基づいて、前記移動端末の契約者に対する所定の料金代行請求処理を行うようにした料金代行徴収システム。
【請求項１４】
請求項１乃至１３の何れかに記載の料金代行徴収システムにおいて、
前記移動端末は、前記注文情報を管理する注文情報管理手段
を備える料金代行徴収システム。
【請求項１５】
請求項１４に記載の料金代行徴収システムにおいて、
前記移動端末は、当該移動端末の利用者によって商取引の対象が受領され、且つ、前記代行徴収サーバによる所定の料金代行請求処理が可能になった場合に、対応する前記注文情報管理手段により管理される注文情報に対し、商取引完了に応じた所定の処理を行う商取引完了処理手段
を備える料金代行徴収システム。
【請求項１６】
ショップサーバ及び移動端末とともに通信ネットワークに接続されて料金代行徴収システムを構成する代行徴収サーバにおいて、
前記移動端末の識別情報、該移動端末の契約者に付与される暗証番号、該移動端末の利用者による商取引の際に用いられる取引用パスワードが決定され、
前記移動端末は、
前記ショップサーバに対し、注文情報を、対応する注文取引番号及び自移動端末の識別情報とともに送信し、前記代行徴収サーバにより送信された取引応答に基づいて取引用パスワードの入力を促し、入力された取引用パスワードを、前記自移動端末の識別情報とともに前記代行徴収サーバに送信し、
前記ショップサーバは、前記移動端末により送信された前記注文情報、注文取引番号及び移動端末の識別情報を記憶し、前記移動端末により送信された前記注文情報に基づいて、料金情報を生成し、自ショップサーバに付与されたショップサーバの識別番号及び認証パスワードを前記代行徴収サーバに送信し、前記代行徴収サーバからの認証結果に応じて、該認証が成功している場合に、前記料金情報、注文取引番号及び移動端末の識別情報を前記代行徴収サーバに送信し、前記代行徴収サーバにより代行徴収を行うことが通知された場合に、注文内容及び注文を承諾したことを前記移動端末に通知し、
前記ショップサーバから送信される前記ショップサーバの識別番号及び認証パスワードが認証ＤＢに登録されているか否かに基づいて、前記ショップサーバの認証を行うショップサーバ認証手段と、
前記認証ＤＢには、代行徴収サービスを利用する移動端末の識別情報、暗証番号及び取引用パスワードと、ショップサーバの識別番号及び認証パスワードが登録され、前記認証ＤＢは、前記ショップサーバ認証手段による認証が成功した場合に前記ショップサーバから送信される前記注文取引番号、前記移動端末の識別情報及び料金情報を対応付けて記憶し、
前記ショップサーバから送信される前記注文取引番号、前記移動端末の識別情報及び料金情報に対する取引応答を、前記移動端末の識別情報により特定される移動端末に送信する代行徴収処理手段と、
前記移動端末により送信された移動端末の識別情報、暗証番号及び取引用パスワードが認証ＤＢに登録されているか否かに基づいて、移動端末の認証を行う移動端末認証手段と、
前記移動端末認証手段による認証が成功した場合に、該移動端末に対して、注文に対する代金の代行徴収を了承する要求を行い、該移動端末からの応答に応じて、前記ショップサーバに対して代行徴収を行うことを通知する代行徴収処理手段と
を備え、
前記通信ネットワークは、前記代行徴収サーバの識別情報、前記移動端末の識別情報及び前記代行徴収サーバと前記移動端末との間の通信の接続の可否を示す情報とを対応付けて保有し、保有される情報に基づいて、前記取引応答の発信元情報と該代行徴収サーバの識別情報との比較結果及び前記取引応答の着信先情報と該移動端末の識別情報との比較結果に基づいて、前記代行徴収サーバと前記移動端末との間の通信の接続の可否を判定し、接続可能と判定された場合に、前記ショップサーバと前記移動端末との通信中において、前記代行徴収サーバと前記移動端末との通信を可能にする代行徴収サーバ。
【請求項１７】
請求項１６に記載の代行徴収サーバにおいて、
前記ショップサーバから送信される前記移動端末の識別情報に基づいて、該移動端末に対し、代行徴収の了承の確認を送信する代行徴収了承確認送信手段と、
前記移動端末から前記代行徴収の了承の確認に対する応答である代行徴収の了承が送信された場合に、該移動端末の契約者に対する所定の料金代行請求処理を行う料金代行請求手段と
を備えるようにした代行徴収サーバ。
【請求項１８】
請求項１６又は１７に記載の代行徴収サーバにおいて、
前記ショップサーバから送信される該ショップサーバの識別情報が認証ＤＢに登録されているか否かに基づいて、該ショップサーバの認証を行うショップサーバ認証手段
を備え、
前記料金代行請求手段は、前記ショップサーバ認証手段による認証が成功した場合に、前記移動端末の契約者に対する所定の料金代行請求処理を行うようにした代行徴収サーバ。
【請求項１９】
請求項１６乃至１８の何れかに記載の代行徴収サーバにおいて、
前記移動端末から送信される該移動端末の契約者に対応する第１のパスワードが認証ＤＢに登録されているか否かに基づいて、該移動端末の契約者の確認を行う契約者確認手段
を備え、
前記料金代行請求手段は、前記契約者確認手段による確認が成功した場合に、前記移動端末の契約者に対する所定の料金代行請求処理を行い、前記第１のパスワードは取引用パスワードであるようにした代行徴収サーバ。
【請求項２０】
請求項１９に記載の代行徴収サーバにおいて、
前記移動端末の契約者に対応する第２のパスワードが入力された場合に、当該移動端末の契約者に対応する第１のパスワードを変更可能とし、前記移動端末の要求に応じて前記第１のパスワードを変更するパスワード変更手段
を備え、前記第２のパスワードは暗証番号である代行徴収サーバ。
【請求項２１】
請求項１６乃至２０の何れかに記載の代行徴収サーバにおいて、
前記料金代行請求手段は、前記移動端末の契約者に対する請求金額が限度額に達する場合に、前記移動端末の契約者に対する所定の料金代行請求処理を中止するようにした代行徴収サーバ。
【請求項２２】
請求項２１に記載の代行徴収サーバにおいて、
前記移動端末の契約者に対する請求金額が限度額に達した旨を当該移動端末及び前記ショップサーバへ通知する限度額超過通知手段
を備える代行徴収サーバ。
【請求項２３】
請求項１６乃至２２の何れかに記載の代行徴収サーバにおいて、
前記料金代行請求手段は、変更後の限度額の範囲内において、該移動端末の契約者に対する所定の料金代行請求処理を行うようにした代行徴収サーバ。
【請求項２４】
請求項２１乃至２３の何れかに記載の代行徴収サーバにおいて、
前記料金代行請求手段は、所定の期間内のみ、変更後の限度額の範囲内において、該移動端末の契約者に対する所定の料金代行請求処理を行うようにした代行徴収サーバ。
【請求項２５】
請求項１６乃至２４の何れかに記載の代行徴収サーバにおいて、
前記料金代行請求手段は、前記ショップサーバから送信される商取引に関する情報に基づいて、前記移動端末の契約者に対する所定の料金代行請求処理を行うようにした代行徴収サーバ。
【請求項２６】
代行徴収サーバ及びショップサーバとともに通信ネットワークに接続されて料金代行徴収システムを構成する移動端末において、
前記移動端末の識別情報、該移動端末の契約者に付与される暗証番号、該移動端末の利用者による商取引の際に用いられる取引用パスワードが決定され、
前記ショップサーバは、前記移動端末により送信された前記注文情報、注文取引番号及び移動端末の識別情報を記憶し、前記移動端末により送信された前記注文情報に基づいて、料金情報を生成し、自ショップサーバに付与されたショップサーバの識別番号及び認証パスワードを前記代行徴収サーバに送信し、前記代行徴収サーバからの認証結果に応じて、該認証が成功している場合に、前記料金情報、注文取引番号及び移動端末の識別情報を前記代行徴収サーバに送信し、前記代行徴収サーバにより代行徴収を行うことが通知された場合に、注文内容及び注文を承諾したことを前記移動端末に通知し、
前記代行徴収サーバは、前記ショップサーバから送信される前記ショップサーバの識別番号及び認証パスワードが認証ＤＢに登録されているか否かに基づいて、前記ショップサーバの認証を行い、前記認証ＤＢには、代行徴収サービスを利用する移動端末の識別情報、暗証番号及び取引用パスワードと、ショップサーバの識別番号及び認証パスワードが登録され、前記認証ＤＢは、前記ショップサーバ認証手段による認証が成功した場合に前記ショップサーバから送信される前記注文取引番号、前記移動端末の識別情報及び料金情報を対応付けて記憶し、前記ショップサーバから送信される前記注文取引番号、前記移動端末の識別情報及び料金情報に対する取引応答を、前記移動端末の識別情報により特定される移動端末に送信し、前記移動端末により送信された移動端末の識別情報、暗証番号及び取引用パスワードが認証ＤＢに登録されているか否かに基づいて、移動端末の認証を行い、認証が成功した場合に、該移動端末に対して、注文に対する代金の代行徴収を了承する要求を行い、該移動端末からの応答に応じて、前記ショップサーバに対して代行徴収を行い、
前記通信ネットワークは、前記代行徴収サーバの識別情報、前記移動端末の識別情報及び前記代行徴収サーバと前記移動端末との間の通信の接続の可否を示す情報とを対応付けて保有し、前記情報保有手段により保有される情報に基づいて、前記取引応答の発信元情報と該代行徴収サーバの識別情報との比較結果及び前記取引応答の着信先情報と該移動端末の識別情報との比較結果に基づいて、前記代行徴収サーバと前記移動端末との間の通信の接続の可否を判定し、接続可能と判定された場合に、前記ショップサーバと前記移動端末との通信中において、前記代行徴収サーバと前記移動端末との通信を可能にし、
前記ショップサーバに対し、注文情報を、対応する注文取引番号及び自移動端末の識別情報とともに送信する第１の情報送信手段と、
前記代行徴収サーバにより送信された取引応答に基づいて取引用パスワードの入力を促し、入力された取引用パスワードを、前記自移動端末の識別情報とともに前記代行徴収サーバに送信する取引用パスワード送信手段と
を備えるようにした移動端末。
【請求項２７】
請求項２６に記載の移動端末において、
前記代行徴収サーバから送信される代行徴収の了承の確認に応じて、該代行徴収サーバに対し、代行徴収の了承の可否を送信する代行徴収了承可否手段
を備え、
前記代行徴収サーバにおいて、前記代行徴収の了承に応じて、前記移動端末の契約者に対する所定の料金代行請求処理が行われるようにした移動端末。
【請求項２８】
請求項２６又は２７に記載の移動端末において、
前記第１の情報送信手段は、当該移動端末の識別情報を送信し、
前記代行徴収サーバにおいて、前記ショップサーバから送信される前記移動端末の識別情報に基づいて、該移動端末の契約者に対する代行徴収の了承の確認が送信されるようにした移動端末。
【請求項２９】
請求項２６乃至２８の何れかに記載の移動端末において、
前記代行徴収サーバに対し、該移動端末の契約者に対応する第１のパスワードを送信するパスワード送信手段
を備え、
前記代行徴収サーバにおいて、前記移動端末の契約者に対応する第１のパスワードが認証ＤＢに登録されているか否かに基づいて前記移動端末の契約者の確認が行われ、該確認が成功した場合に、前記移動端末の契約者に対する所定の料金代行請求処理が行われ、
前記第１のパスワードは取引用パスワードであるようにした移動端末。
【請求項３０】
請求項２６乃至２９の何れかに記載の移動端末において、
前記情報送信手段は、前記ショップサーバから送信される商取引の対象に関する情報に対応する注文情報を送信するようにした移動端末。
【請求項３１】
請求項２６乃至３０の何れかに記載の移動端末において、
当該移動端末の契約者によって商取引の対象に対する注文が行われたことを認識する注文認識手段と、
前記注文認識手段により、当該移動端末の契約者によって商取引の対象に対する注文が行われたことが認識された場合に、前記ショップサーバとの通信中において、前記代行徴収サーバとの通信を可能にする第１の通信制御手段と、
を備える移動端末。
【請求項３２】
請求項２６乃至３１の何れかに記載の移動端末において、
前記注文情報を管理する注文情報管理手段
を備える移動端末。
【請求項３３】
請求項３２に記載の移動端末において、
当該移動端末の契約者によって商取引の対象が受領され、且つ、前記代行徴収サーバによる所定の料金代行請求処理が可能になった場合に、対応する前記注文情報管理手段により管理される注文情報に対し、商取引完了に応じた所定の処理を行う商取引完了処理手段
を備える移動端末。
【請求項３４】
代行徴収サーバ、ショップサーバ及び移動端末が通信ネットワークにより接続されて構成される料金代行徴収システムにおける料金代行徴収方法であって、
前記移動端末の識別情報、該移動端末の契約者に付与される暗証番号、該移動端末の利用者による商取引の際に用いられる取引用パスワードが決定され、
前記移動端末が、前記ショップサーバに対し、注文情報を、対応する注文取引番号及び自移動端末の識別情報とともに送信する第１の情報送信ステップと、
前記ショップサーバが、前記移動端末により送信された前記注文情報、注文取引番号及び移動端末の識別情報を記憶する記憶ステップと、
前記ショップサーバが、前記移動端末により送信された前記注文情報に基づいて、料金情報を生成する料金情報生成ステップと、
前記ショップサーバが、自ショップサーバに付与されたショップサーバの識別番号及び認証パスワードを前記代行徴収サーバに送信する情報送信ステップと、
前記代行徴収サーバが、前記ショップサーバから送信される前記ショップサーバの識別番号及び認証パスワードが代行徴収サービスを利用する移動端末の識別情報、暗証番号及び取引用パスワードと、ショップサーバの識別番号及び認証パスワードが登録される認証ＤＢに登録されているか否かに基づいて、前記ショップサーバの認証を行うショップサーバ認証ステップと、
前記ショップサーバが、前記代行徴収サーバからの認証結果に応じて、該認証が成功している場合に、前記料金情報、注文取引番号及び移動端末の識別情報を前記代行徴収サーバに送信する商取引処理ステップと、
前記代行徴収サーバが、前記ショップサーバ認証ステップによる認証が成功した場合に前記ショップサーバから送信される前記注文取引番号、前記移動端末の識別情報及び料金情報を対応付けて記憶する認証ＤＢと、
前記代行徴収サーバが、前記ショップサーバから送信される前記注文取引番号、前記移動端末の識別情報及び料金情報に対する取引応答を、前記移動端末の識別情報により特定される移動端末に送信する代行徴収処理ステップと、
前記移動端末が、前記代行徴収サーバにより送信された取引応答に基づいて取引用パスワードの入力を促し、入力された取引用パスワードを、前記自移動端末の識別情報とともに前記代行徴収サーバに送信する取引用パスワード送信ステップと、
前記代行徴収サーバが、前記移動端末により送信された前記取引用パスワードが認証ＤＢに登録されているか否かに基づいて、移動端末の認証を行う移動端末認証ステップと、
前記代行徴収サーバが、前記移動端末認証ステップによる認証が成功した場合に、該移動端末に対して、注文に対する代金の代行徴収を了承する要求を行い、該移動端末からの応答に応じて、前記ショップサーバに対して代行徴収を行うことを通知する代行徴収処理ステップと、
前記ショップサーバが、前記代行徴収サーバにより代行徴収を行うことが通知された場合に、注文内容及び注文を承諾したことを前記移動端末に通知する商取引処理ステップと
を有し、
前記代行徴収処理ステップでは、前記代行徴収サーバの識別情報、前記移動端末の識別情報及び前記代行徴収サーバと前記移動端末との間の通信の接続の可否を示す情報とを対応付けて保有する情報保有手段により保有される情報に基づいて、前記取引応答の発信元情報と該代行徴収サーバの識別情報との比較結果及び前記取引応答の着信先情報と該移動端末の識別情報との比較結果に基づいて、前記代行徴収サーバと前記移動端末との間の通信の接続の可否が判定され、接続可能と判定された場合に、前記ショップサーバと前記移動端末との通信中において、前記代行徴収サーバと前記移動端末との通信が行われるようにした料金代行徴収方法。
【請求項３５】
請求項３４に記載の料金代行徴収方法において、
前記移動端末に対し、代行徴収の了承の確認を送信し、前記移動端末から前記代行徴収の了承の確認に対する応答である代行徴収の了承が送信された場合に、該移動端末の契約者に対する所定の料金代行請求処理を行うようにした料金代行徴収方法。
【請求項３６】
請求項３４又は３５に記載の料金代行徴収方法において、
前記移動端末の識別情報に基づいて、該移動端末の契約者に対する代行徴収の了承の確認を送信するようにした料金代行徴収方法。
【請求項３７】
請求項３４乃至３６の何れかに記載の料金代行徴収方法において、
前記ショップサーバから送信される該ショップサーバの識別情報が認証ＤＢに登録されているか否かに基づいて、該ショップサーバの認証を行い、前記ショップサーバの認証が成功した場合に、前記移動端末の契約者に対する所定の料金代行請求処理を行うようにした料金代行徴収方法。
【請求項３８】
請求項３７に記載の料金代行徴収方法において、前記ショップサーバから送信される認証パスワードが認証ＤＢに登録されているか否かに基づいて、該ショップサーバの認証を行うようにした料金代行徴収方法。
【発明の詳細な説明】
【０００１】
【発明の属する技術分野】
本発明は、代行徴収サーバ、ショップサーバ及び移動端末が通信ネットワークに接続されて構成される料金代行徴収システムに関する。
【０００２】
【従来の技術】
近年、インターネットの急速な普及に伴い、様々なショッピングサイトによるインターネットショッピングが実現されている。このようなインターネットショッピングでは、利用者は、端末からショッピングサイトのサーバにアクセスして、所望の商品等を注文することにより、店舗に出向くことなく商品購入や、サービスの提供、チケットの予約等、様々な商取引を行うことができる。
【０００３】
【発明が解決しようとする課題】
しかしながら、上述したような従来のインターネットショッピングでは、クレジットカードの利用による支払い、金融機関への振込、商品等と引き換えに支払ういわゆる着払い等、料金の支払方法が限定的であった。このため、インターネットショッピングの更なる普及を図るべく、料金支払方法の多様化が求められている。
【０００４】
本発明は、このような問題点を解決するものであり、その目的は、多様な料金支払方法を可能とした料金代行徴収システム、代行徴収サーバ、ショップサーバ、移動端末及び通信ネットワークを提供することにある。
【０００５】
【課題を解決するための手段】
上記の目的を達成するため、本発明によれば、代行徴収サーバ、ショップサーバ及び移動端末が通信ネットワークにより接続されて構成される料金代行徴収システムにおいて、前記移動端末は、前記ショップサーバに対し、注文情報を送信する第１の情報送信手段を備え、前記ショップサーバは、前記代行徴収サーバに対し、前記移動端末から送信される注文情報に基づく料金情報を送信する第２の情報送信手段を備え、前記代行徴収サーバは、前記ショップサーバから送信される料金情報に基づいて、前記移動端末の契約者に対する所定の料金代行請求処理を行う料金代行請求手段を備える。
【０００６】
このような料金代行徴収システムでは、利用者の操作に応じて移動端末がショップサーバにアクセスして商品等を注文した場合に、代行徴収サーバは、ショップサーバにショッピングサイトを開設する者に代わって移動端末の契約者に対する料金代行請求及び料金代行徴収を行う。従って、ショッピングサイトとの間で商取引を行う者に対し、従来にない料金支払方法を提供し、料金支払方法の多様化を図ることが可能となる。
【０００７】
また、本発明によれば、前記料金代行徴収システムにおいて、前記代行徴収サーバは、前記移動端末に対し、代行徴収の了承の確認を送信する代行徴収了承確認送信手段を備え、前記移動端末は、前記代行徴収サーバから送信される代行徴収の了承の確認に応じて、該代行徴収サーバに対し、代行徴収の了承の可否を送信する代行徴収了承可否手段を備え、前記代行徴収サーバ内の料金代行請求手段は、前記移動端末から代行徴収の了承が送信された場合に、該移動端末の契約者に対する所定の料金代行請求処理を行うようにした。
【０００８】
このように、代行徴収サーバが移動端末に対し、代行徴収の了承の確認を要求することにより、移動端末の契約者は、代行徴収が行われることを認識することができる。
【０００９】
また、本発明によれば、前記料金代行徴収システムにおいて、前記移動端末内の第1の情報送信手段は、当該移動端末の識別情報を送信し、前記ショップサーバ内の第２の情報送信手段は、前記移動端末の識別情報を送信し、前記代行徴収サーバ内の代行徴収了承確認送信手段は、前記移動端末の識別情報に基づいて、該移動端末の契約者に対する代行徴収の了承の確認を送信するようにした。
【００１０】
この場合には、代行徴収サーバは、移動端末の識別情報により、当該移動端末の契約者が代行徴収サービスに登録又は契約していることを確認することが可能になる。
【００１１】
また、本発明によれば、前記料金代行徴収システムにおいて、前記ショップサーバ内の第２の情報送信手段は、自サーバの識別情報を送信し、前記代行徴収サーバは、前記ショップサーバから送信される該ショップサーバの識別情報に基づいて、該ショップサーバの認証を行うショップサーバ認証手段を備え、前記代行徴収サーバ内の料金代行請求手段は、前記ショップサーバ認証手段による認証が成功した場合に、前記移動端末の契約者に対する所定の料金代行請求処理を行うようにした。
【００１２】
この場合には、代行徴収サーバは、ショップサーバの識別情報により、当該ショップサーバにショッピングサイトを開設する販売店等が代行徴収サービスに登録又は契約していることを確認することが可能になる。
【００１３】
また、本発明によれば、前記料金代行徴収システムにおいて、前記ショップサーバ内の第２の情報送信手段は、自サーバに対応するパスワードを送信し、前記代行徴収サーバ内のショップサーバ認証手段は、前記ショップサーバから送信されるパスワードに基づいて、該ショップサーバの認証を行うようにした。
【００１４】
この場合には、代行徴収サーバがショップサーバの認証を行うことにより、ショップサーバや当該ショップサーバにショッピングサイトを開設する販売店等の正当性を判断することが可能になる。
【００１５】
また、本発明によれば、前記料金代行徴収システムにおいて、前記移動端末は、前記代行徴収サーバに対し、前記移動端末の契約者に対応する第１のパスワードを送信するパスワード送信手段を備え、前記代行徴収サーバは、前記移動端末から送信される前記移動端末の契約者に対応する第１のパスワードが認証ＤＢに登録されているか否かに基づいて、前記移動端末の契約者の確認を行う契約者確認手段を備え、前記代行徴収サーバ内の料金代行請求手段は、前記契約者確認手段による確認が成功した場合に、前記移動端末の契約者に対する所定の料金代行請求処理を行い、前記第１のパスワードは取引用パスワードであるようにした。
【００１６】
この場合には、代行徴収サーバが第１のパスワードによる移動端末の契約者の認証を行うことにより、移動端末の契約者及び該契約者が認めた利用者以外の者による不正利用を防止することができる。
【００１７】
また、本発明によれば、前記料金代行徴収システムにおいて、前記代行徴収サーバは、前記移動端末の契約者に対応する第２のパスワードが入力された場合に、当該移動端末の契約者に対応する第１のパスワードを変更可能とし、前記移動端末の要求に応じて前記第１のパスワードを変更するパスワード変更手段を備え、前記第２のパスワードは暗証番号である。
【００１８】
この場合には、移動端末の契約者及び該契約者が認めた利用者以外の者に第１のパスワードが漏洩した場合等に、新たな第１のパスワードが設定可能であるため、移動端末の契約者及び該契約者が認めた利用者以外の者による不正利用を防止することができる。
【００１９】
また、本発明によれば、前記料金代行徴収システムにおいて、前記代行徴収サーバ内の料金代行請求手段は、前記移動端末の契約者に対する請求金額が限度額に達する場合に、前記移動端末の契約者に対する所定の料金代行請求処理を中止するようにした。
【００２０】
また、本発明によれば、前記料金代行徴収システムにおいて、前記代行徴収サーバは、前記移動端末の契約者に対する請求金額が限度額に達した旨を当該移動端末及び前記ショップサーバへ通知する限度額超過通知手段を備える。
【００２１】
また、本発明によれば、前記料金代行徴収システムにおいて、前記移動端末は、前記限度額の変更を要求する限度額変更要求手段を備え、前記代行徴収サーバ内の料金代行請求手段は、変更後の限度額の範囲内において、該移動端末の契約者に対する所定の料金代行請求処理を行うようにした。
【００２２】
また、本発明によれば、前記料金代行徴収システムにおいて、前記代行徴収サーバ内の料金代行請求手段は、所定の期間内のみ、変更後の限度額の範囲内において、該移動端末の契約者に対する所定の料金代行請求処理を行うようにした。
【００２３】
また、本発明によれば、前記料金代行徴収システムにおいて、前記ショップサーバは、前記移動端末に対し、商取引の対象に関する情報を送信する商取引対象情報送信手段を備え、前記移動端末内の第１の情報送信手段は、前記ショップサーバから送信される商取引の対象に関する情報に対応する注文情報を送信するようにした。ここで、商取引の対象とは、購入される商品、提供されるサービス、チケット、ホテル等の予約、受領される文字、音声、音楽、画像等の各種情報等、商取引が成立するものは、その全てが対象となる。
【００２４】
また、本発明によれば、前記料金代行徴収システムにおいて、前記ショップサーバは、前記代行徴収サーバに対し、商取引に関する情報を送信する商取引情報送信手段を備え、前記代行徴収サーバ内の料金代行請求手段は、前記ショップサーバから送信される商取引に関する情報に基づいて、前記移動端末の契約者に対する所定の料金代行請求処理を行うようにした。
【００２５】
この場合には、代行徴収サーバは、例えば請求書に商取引に関する情報を記載することができるため、請求先である移動端末の契約者が商取引の詳細を確認することが可能となり、利便性を向上させることができる。
【００２６】
また、本発明によれば、前記料金代行徴収システムにおいて、前記通信ネットワークは、前記代行徴収サーバと前記移動端末との間の通信の接続の可否を判定する接続可否判定手段と、前記接続可否判定手段により接続可能と判定された場合に、前記ショップサーバと前記移動端末との通信中において、前記代行徴収サーバと前記移動端末との通信を可能にする第１の通信制御手段とを備える。
【００２７】
これにより、ショップサーバと移動端末との通信中においても、代行徴収サーバと移動端末との通信が可能になり、本発明の料金代行徴収システムの円滑な運用が可能になる。
【００２８】
同様の観点から、本発明によれば、前記料金代行徴収システムにおいて、前記通信ネットワークは、前記代行徴収サーバの識別情報、前記移動端末の識別情報及び前記代行徴収サーバと前記移動端末との間の通信の接続の可否を示す情報とを対応付けて保有する情報保有手段を備え、前記接続可否判定手段は、前記情報保有手段により保有される情報に基づいて、前記代行徴収サーバと前記移動端末との間の通信の接続の可否を判定するようにした。
【００２９】
更に同様の観点から、本発明によれば、前記料金代行徴収システムにおいて、前記移動端末は、当該移動端末の利用者によって商取引の対象に対する注文が行われたことを認識する注文認識手段と、前記注文認識手段により、当該移動端末の利用者によって商取引の対象に対する注文が行われたことが認識された場合に、前記ショップサーバとの通信中において、前記代行請求サーバとの通信を可能にする第２の通信制御手段とを備える。
【００３０】
また、同様の観点から、本発明によれば、前記料金代行徴収システムにおいて、前記移動端末は、当該移動端末の利用者によって商取引の対象が受領されたことを認識する商取引対象受領認識手段と、前記商取引対象受領認識手段により、当該移動端末の利用者によって商取引の対象が受領されたことが認識された場合に、前記ショップサーバとの通信中において、前記代行請求サーバとの通信を可能にする第３の通信制御手段とを備える。ここで、商取引の対象の受領とは、商品を受領したこと、サービスの提供を受けたこと、チケットを受領したこと、ホテル等の予約確認を受けたこと、文字、音声、音楽、画像等の各種情報を受領したこと等を示す。
【００３１】
また、本発明によれば、前記料金代行徴収システムにおいて、前記移動端末は、前記注文情報を管理する注文情報管理手段を備える。
【００３２】
これにより、移動端末の契約者は、自らが行った商取引の確認を容易に行うことができる。
【００３３】
また、本発明によれば、前記料金代行徴収システムにおいて、前記移動端末は、当該移動端末の利用者によって商取引の対象が受領され、且つ、前記代行徴収サーバによる所定の料金代行請求処理が可能になった場合に、対応する前記注文情報管理手段により管理される注文情報に対し、商取引完了に応じた所定の処理を行う商取引完了処理手段を備える。
【００３４】
これにより、移動端末の契約者は、自らが行った商取引に対する料金支払いの状況を容易に確認することができる。
【００３５】
また、上記の目的を達成するため、本発明によれば、ショップサーバ及び移動端末とともに通信ネットワークに接続されて料金代行徴収システムを構成する代行徴収サーバにおいて、前記ショップサーバから送信される前記移動端末の利用者による商取引の対象に対する注文に対応する料金情報に基づいて、前記移動端末の契約者に対する所定の料金代行請求処理を行う料金代行請求手段を備える。
【００３６】
また、本発明によれば、前記代行徴収サーバにおいて、前記ショップサーバから送信される前記移動端末の識別情報に基づいて、該移動端末に対し、代行徴収の了承の確認を送信する代行徴収了承確認送信手段を備え、前記料金代行請求手段は、前記移動端末から前記代行徴収の了承の確認に対する応答である代行徴収の了承が送信された場合に、該移動端末の契約者に対する所定の料金代行請求処理を行うようにした。
【００３７】
また、本発明によれば、前記代行徴収サーバにおいて、前記ショップサーバから送信される該ショップサーバの識別情報に基づいて、該ショップサーバの認証を行うショップサーバ認証手段を備え、前記料金代行請求手段は、前記ショップサーバ認証手段による認証が成功した場合に、前記移動端末の契約者に対する所定の料金代行請求処理を行うようにした。
【００３８】
また、本発明によれば、前記代行徴収サーバにおいて、前記移動端末から送信される該移動端末の契約者に対応する第１のパスワードが認証ＤＢに登録されているか否かに基づいて、該移動端末の契約者の確認を行う契約者確認手段を備え、前記料金代行請求手段は、前記契約者確認手段による確認が成功した場合に、前記移動端末の契約者に対する所定の料金代行請求処理を行い、前記第１のパスワードは取引用パスワードであるようにした。
【００３９】
また、本発明によれば、前記代行徴収サーバにおいて、前記移動端末の契約者に対応する第２のパスワードが入力された場合に、当該移動端末の契約者に対応する第１のパスワードを変更可能とし、前記移動端末の要求に応じて前記第１のパスワードを変更するパスワード変更手段を備え、前記第２のパスワードは暗証番号である。
【００４０】
また、本発明によれば、前記代行徴収サーバにおいて、前記料金代行請求手段は、前記移動端末の契約者に対する請求金額が限度額に達する場合に、前記移動端末の契約者に対する所定の料金代行請求処理を中止するようにした。
【００４１】
また、本発明によれば、前記代行徴収サーバにおいて、前記移動端末の契約者に対する請求金額が限度額に達した旨を当該移動端末及び前記ショップサーバへ通知する限度額超過通知手段を備える。
【００４２】
また、本発明によれば、前記代行徴収サーバにおいて、前記料金代行請求手段は、変更後の限度額の範囲内において、該移動端末の契約者に対する所定の料金代行請求処理を行うようにした。
【００４３】
また、本発明によれば、前記代行徴収サーバにおいて、前記料金代行請求手段は、所定の期間内のみ、変更後の限度額の範囲内において、該移動端末の契約者に対する所定の料金代行請求処理を行うようにした。また、本発明によれば、前記代行徴収サーバにおいて、前記料金代行請求手段は、前記ショップサーバから送信される商取引に関する情報に基づいて、前記移動端末の契約者に対する所定の料金代行請求処理を行うようにした。
【００４４】
また、上記の目的を達成するため、本発明によれば、代行徴収サーバ及びショップサーバとともに通信ネットワークに接続されて料金代行徴収システムを構成する移動端末において、前記ショップサーバに対し、注文情報を送信する情報送信手段を備え、前記代行徴収サーバにおいて、前記ショップサーバから送信される前記注文情報に対応する料金情報に基づいて、前記移動端末の契約者に対する所定の料金代行請求処理が行われるようにした。
【００４５】
また、本発明によれば、前記移動端末において、前記代行徴収サーバから送信される代行徴収の了承の確認に応じて、該代行徴収サーバに対し、代行徴収の了承の可否を送信する代行徴収了承可否手段を備え、前記代行徴収サーバにおいて、前記代行徴収の了承に応じて、前記移動端末の契約者に対する所定の料金代行請求処理が行われるようにした。
【００４６】
また、本発明によれば、前記移動端末において、前記情報送信手段は、当該移動端末の識別情報を送信し、前記代行徴収サーバにおいて、前記ショップサーバから送信される前記移動端末の識別情報に基づいて、該移動端末の契約者に対する代行徴収の了承の確認が送信されるようにした。
【００４７】
また、本発明によれば、前記移動端末において、前記代行徴収サーバに対し、該移動端末の契約者に対応する第１のパスワードを送信するパスワード送信手段を備え、前記代行徴収サーバにおいて、前記移動端末の契約者に対応する第１のパスワードに基づいて前記移動端末の契約者の確認が行われ、該確認が成功した場合に、前記移動端末の契約者に対する所定の料金代行請求処理が行われるようにした。
【００４８】
また、本発明によれば、前記移動端末において、前記情報送信手段は、前記ショップサーバから送信される商取引の対象に関する情報に対応する注文情報を送信するようにした。
【００４９】
また、本発明によれば、前記移動端末において、当該移動端末の契約者によって商取引の対象に対する注文が行われたことを認識する注文認識手段と、前記注文認識手段により、当該移動端末の契約者によって商取引の対象に対する注文が行われたことが認識された場合に、前記ショップサーバとの通信中において、前記代行徴収サーバとの通信を可能にする第１の通信制御手段とを備える。
【００５０】
また、本発明によれば、前記移動端末において、当該移動端末の契約者によって商取引の対象が受領されたことを認識する商取引対象受領認識手段と、前記商取引対象受領認識手段により、当該移動端末の契約者によって商取引の対象が受領されたことが認識された場合に、前記ショップサーバとの通信中において、前記代行徴収サーバとの通信を可能にする第２の通信制御手段とを備える。
【００５１】
また、本発明によれば、前記移動端末において、前記注文情報を管理する注文情報管理手段を備える。
【００５２】
また、本発明によれば、前記移動端末において、当該移動端末の契約者によって商取引の対象が受領され、且つ、前記代行徴収サーバによる所定の料金代行請求処理が可能になった場合に、対応する前記注文情報管理手段により管理される注文情報に対し、商取引完了に応じた所定の処理を行う商取引完了処理手段を備える。
【００５３】
また、上記の目的を達成するため、本発明によれば、ショップサーバから送信される移動端末の利用者による商取引の対象に対する注文に対応する料金情報に基づいて、前記移動端末の契約者に対する所定の料金代行請求処理を行うようにした。
【００５４】
また、本発明によれば、前記料金代行徴収方法において、前記移動端末に対し、代行徴収の了承の確認を送信し、前記移動端末から前記代行徴収の了承の確認に対する応答である代行徴収の了承が送信された場合に、該移動端末の契約者に対する所定の料金代行請求処理を行うようにした。
【００５５】
また、本発明によれば、前記料金代行徴収方法において、前記移動端末の識別情報に基づいて、該移動端末の契約者に対する代行徴収の了承の確認を送信するようにした。
【００５６】
また、本発明によれば、前記料金代行徴収方法において、前記ショップサーバから送信される該ショップサーバの識別情報に基づいて、該ショップサーバの認証を行い、前記ショップサーバの認証が成功した場合に、前記移動端末の契約者に対する所定の料金代行請求処理を行うようにした。
【００５７】
また、本発明によれば、前記料金代行徴収方法において、前記ショップサーバから送信されるパスワードに基づいて、該ショップサーバの認証を行うようにした。
【００５８】
【発明の実施の形態】
以下、本発明の実施の形態を図面に基づいて説明する。図１は、本発明が適用される料金代行徴収システムの構成例を示す図である。同図に示す料金代行徴収システム１００は、代行徴収サーバ１１０、認証データベース（ＤＢ）１１８、ショップサーバ１２０、注文データベース（ＤＢ）１２８、移動端末としての携帯電話機１３０、サービスオーダシステム１４０、インターネット１５０、携帯電話会社パケット網１６０、当該携帯電話会社パケット網１６０に構成される加入者情報管理装置１６５、基地局１７０を備える。これらのうち、インターネット１５０と携帯電話会社パケット網１６０は、相互に接続されている。また、代行徴収サーバ１１０は、インターネット１５０と携帯電話会社パケット網１６０とに接続され、携帯電話機１３０は、基地局１７０を介して携帯電話会社パケット網１６０に接続されている。また、ショップサーバ１２０は、インターネット１５０に接続される場合と、携帯電話会社パケット網１６０に接続される場合とがある。更には、サービスオーダシステム１４０は、認証ＤＢ１１８及び携帯電話会社パケット網１６０に接続される。
【００５９】
代行徴収サーバ１２０は、送受信部１１１、ショップサーバ認証部１１２、携帯電話機認証部１１３、代行徴収処理部１１４、料金請求処理部１１５を備える。ショップサーバ１２０は、送受信部１２１、商取引対象情報生成部１２２、料金情報生成部１２３、商取引処理部１２４を備える。また、携帯電話機１３０は、送受信部１３１、注文情報管理部１３２、代行徴収処理部１３４、注文認識部１３５、商取引対象受領認識部１３６、制御部１３７、商取引完了処理部１３８を備える。更には、加入者情報管理装置１６５は、接続可否判定部１６６、加入者情報管理部１６７、通信制御部１６８を備える。
【００６０】
この料金代行徴収システム１００では、インターネットを利用した商取引（ネット取引）において、携帯電話機１３０が利用者の操作によりショップサーバ１２０にアクセスして商品等を注文した場合に、携帯電話会社が所有する代行徴収サーバ１１０は、ショップサーバ１２０にショッピングサイトを開設する会社（以下「インターネットショップ会社」と称する）に代わって携帯電話機１３０の契約者に対する料金代行請求を行う。すなわち、携帯電話会社がインターネットショップ会社に代わって携帯電話機１３０の契約者に対する料金代行請求を行う。なお、商取引の対象としては、購入される商品、提供されるサービス、チケット、ホテル等の予約、受領される文字、音声、音楽、画像等の各種情報等、商取引が成立するものは、その全てが対象となる。
【００６１】
料金代行徴収サービスの利用に際しては、まず携帯電話会社と携帯電話機１３０の契約者との間、及び、携帯電話会社とインターネットショップ会社との間で利用契約が締結される。
【００６２】
具体的には、携帯電話会社と携帯電話機１３０の契約者との間の契約時には、料金代行徴収サービスが利用される携帯電話機１３０の識別情報（例えば、端末機体番号、ＭＡＣ（Media Access Control）アドレス等）、携帯電話機１３０の契約者に付与される暗証番号、携帯電話機１３０利用者による商取引の際に用いられるパスワード（ネット取引用パスワード）、１回の請求期間における商取引の購入限度額、料金支払いにいわゆるリボルビング払いが適用される場合における１回当たりの支払金額（リボルビング支払い金額）が決定される。
【００６３】
サービスオーダシステム１４０は、オペレータの入力操作に応じて、認証ＤＢ１１８に、携帯電話機１３０による代行徴収サービスを利用する契約者の氏名、住所等の契約者に関する情報、請求先、１回当たりの請求限度額等の請求に関する情報、携帯電話機１３０の識別情報、暗証番号、ネット取引用パスワード等の認証に関する情報等を登録する。また、サービスオーダシステム１４０は、加入者情報管理装置１６５内の加入者情報管理部１６７に、携帯電話機１３０の識別情報及び当該携帯電話機１３０を利用したネット取引が実施されることを示すフラグ（以下「ネット取引フラグ」と称する）を登録する。また、サービスオーダシステム１４０は、携帯電話機１３０に対し、当該携帯電話機１３０の識別情報及びネット取引フラグを登録する。
【００６４】
なお、携帯電話機１３０の識別情報が予め当該携帯電話機１３０の工場出荷時に付与される場合には、サービスオーダシステム１４０は、その携帯電話機１３０の識別情報を取得して、認証ＤＢ１１８や加入者情報管理装置１６５内の加入者情報管理部１６７へ登録する。
【００６５】
一方、携帯電話会社とインターネットショップ会社との間の契約時には、ショッピングサイトに関する事項（例えば、携帯電話機１３０がショップサーバ１２０にアクセスした際に、当該携帯電話機１３０の契約者に提示すべき最低限の項目、インターネットショップ会社と携帯電話機１３０の契約者との間の通信ネットワークを利用した商取引に関する契約事項）、代行徴収に関する事項（例えば、代行徴収を行う代行徴収サーバ１１０が携帯電話機１３０の契約者に請求書や領収書を発行する際に、これら請求書、領収書に表示すべき最低限の項目、代行徴収に際して携帯電話会社がインターネットショップ会社から受領する手数料、代行徴収の料金の支払い時期、支払いが遅延した場合の措置）、技術的条件に関する事項（例えば、インターフェース条件、装置の責任分解点、保守責任分解点）等が決定される。また、ショップサーバ１２０の識別情報（例えばショップサーバ１２０に付与されるショップ識別番号）と、ショップサーバ１２０が代行徴収サーバ１１０にアクセスする際に用いられる認証パスワードとが決定され、代行徴収サーバ１１０は、これらを対応付けて認証ＤＢ１１８へ登録する。
【００６６】
このように、携帯電話機１３０の識別情報、携帯電話機１３０の契約者に付与される暗証番号、ネット取引用パスワード、購入限度額及びリボルビング支払い金額と、ショップサーバ１２０の識別情報及び認証パスワードとが登録された段階で、携帯電話機１３０の契約者とショップサーバ１２０にショッピングサイトを開設するインターネットショップ会社は、料金代行徴収サービスを利用することが可能となる。なお、携帯電話会社は、携帯電話機１３０の契約者に対して、料金請求及び料金徴収を行うが、本料金代行徴収サービスは、携帯電話機１３０の契約者が認めた利用者であれば利用可能である。
【００６７】
また、認証ＤＢ１１８には、携帯電話機１３０の契約者による商取引に応じて、当該契約者に請求すべき金額の情報（以下「請求金額情報」と称する）が携帯電話機１３０の識別情報に対応付けられて、携帯電話機１３０の通信料金の請求期間（例えば１ヶ月）と同一の期間毎に登録されている。
【００６８】
以下においては、商取引の対象が商品であり、且つ、携帯電話機１３０及びショップサーバ１２０の識別情報としてＭＡＣアドレスが用いられる場合を例に説明する。
【００６９】
まず、商品注文時の処理が行われる。携帯電話機１３０の利用者が商品を注文する際、携帯電話機１３０は、利用者の操作に応じて、基地局１７０、携帯電話会社パケット網１６０及びインターネット１５０を介して、あるいは、基地局１７０及び携帯電話会社パケット網１６０を介して、所定の接続シーケンスによりショップサーバ１２０にアクセスする。
【００７０】
ショップサーバ１２０内の商取引対象情報生成部１２２は、携帯電話機１３０からのアクセスに応じて、注文を特定するための情報である注文取引番号と、商取引の対象である商品に関する情報を生成する。この商品に関する情報には、商品名、商品の画像、寸法、色、重量、材質及び品質、商品の価格等の各種情報が含まれる。送受信部１２１は、この生成された注文取引番号と商品に関する情報とを携帯電話機１３０へ送信する。携帯電話機１３０内の送受信部１３１は、これら注文取引番号及び商品に関する情報を受信し、注文情報管理部１３２へ送る。注文情報管理部１３２は、受けた商品に関する情報に基づいて、商品情報画面を生成し、ディスプレイ（図示せず）に表示する。
【００７１】
図２は、商品情報画面の一例を示す図である。同図に示すように、商品情報画面には、商品名、商品の画像、一括払いと分割払いにおける価格（商品単価）、送料、納品予定日、インターネットショップ会社の名称、住所、電話番号等が表示される。また、商品情報画面には、注文ボタン２０１が表示される。
【００７２】
携帯電話機１３０の利用者は、この商品情報画面に表示された商品を所望する場合、所定の操作を行って注文ボタン２０１をクリックする。注文ボタン２０１がクリックされると、注文情報管理部１３２は、注文情報画面を生成し、ディスプレイに表示する。
【００７３】
図３は、注文情報画面の一例を示す図である。同図に示すように、注文情報画面には、商品名、商品の個数、商品購入額合計、送料、納入希望日、商品購入額合計と送料を加算した合計金額、一括払い、分割払い又はいわゆるリボルビング払い等の支払方法、納入希望日、購入者の名前、納入先住所、購入者の電話番号の各項目等が表示される。これらの項目のうち、商品の個数、納入希望日、支払方法、納入希望日、購入者の名前、納入先住所、購入者の電話番号は、携帯電話機１３０の利用者による所定の操作によって情報が入力され、その入力された内容が注文情報画面に表示される。なお、携帯電話機１３０の利用者が「個数」の項目に購入個数を入力した場合には、携帯電話機１３０によって、商品単価に個数を乗じた「商品購入額合計」が計算されるとともに、この商品購入額に送料や消費税を加えた「合計金額」が計算され、これらも注文情報画面に表示される。
【００７４】
各項目が入力されると、注文情報管理部１３２は、注文情報を生成する。この注文情報には、注文情報画面に表示された内容、すなわち、商品の個数や商品購入額合計、送料、商品購入額の合計と送料や消費税とを加算した合計金額、支払方法、納入希望日、購入者の名前、納入先住所、購入者の電話番号の各種情報等が含まれる。注文情報管理部１３２は、生成した注文情報を、対応する注文取引番号及び自機のＭＡＣアドレスとともに、送受信部１３１を介してショップサーバ１２０へ送信する。
【００７５】
ショップサーバ１２０内の送受信部１２１は、基地局１７０、携帯電話会社パケット網１６０及びインターネット１５０を介して、あるいは、基地局１７０及び携帯電話会社パケット網１６０を介して、携帯電話機１３０から送信される注文情報、注文取引番号及び携帯電話機１３０のＭＡＣアドレスを受信し、料金情報生成部１２３へ送る。料金情報生成部１２３は、これら注文情報、注文取引番号及び携帯電話機１３０のＭＡＣアドレスを注文ＤＢ１２８に登録するとともに、当該注文情報内の納入希望日や購入者の名前、納入先住所等の確認を行う。
【００７６】
また、送受信部１２１は、代行徴収サーバ１９０に対し、自サーバに付与されたショップ識別番号及び認証パスワードを送信する。これらショップ識別番号及び認証パスワードは、インターネット１５０を介して、あるいは、携帯電話会社パケット網１６０及びインターネット１５０を介して、代行徴収サーバ１１０へ送信される。
【００７７】
代行徴収サーバ１１０内の送受信部１１１は、ショップサーバ１２０から送信されるショップ識別番号及び認証パスワードを受信し、ショップサーバ認証部１１２へ送る。ショップサーバ認証部１１２は、これらショップ識別番号及び認証パスワードをキーとして認証ＤＢ１１８を検索する。認証ＤＢ１１８にショップサーバ１２０からのショップ識別番号と認証パスワードが対応付けられて登録されている場合には、ショップサーバ認証部１１２は、認証が成功した旨の通知を送受信部１１１を介してショップサーバ１２０へ送信する。これにより、代行徴収サーバ１１０は、以降のショップサーバ１２０からのアクセスを許可する。
【００７８】
なお、代行徴収サーバ１１０とショップサーバ１２０間の回線や各サーバの故障等により、代行徴収サーバ１１０における認証が失敗した場合には、代行徴収サーバ１１０及びショップサーバ１２０は、その故障を検知する。そして、ショップサーバ１２０は、携帯電話機１３０に対し、しばらく経ってから再度注文をやり直すように要求する旨の通知を送出する。携帯電話機１３０は、この通知をディスプレイ等に表示して、利用者に知らせる。
【００７９】
また、携帯電話会社とインターネットショップ会社との間で、代行徴収に関する契約が締結されていないことにより、代行徴収サーバ１１０における認証が失敗した場合には、携帯電話機１３０は、注文終了後、所定時間経過しても、代行徴収サーバ１１０から後述するネット取引応答が送られてこないため、タームオーバによりショップサーバ１２０との通信を終了する処理を行う。そして、携帯電話機１３０は、例えばインターネットショップ会社が携帯電話会社との間で代行徴収に関する契約を締結しているか否かを確認するための携帯電話会社の問い合わせ電話番号をディスプレイ等に表示する。
【００８０】
ショップサーバ１２０内の送受信部１２１は、代行徴収サーバ１１０からの認証が成功した旨の通知を受信し、料金情報生成部１２３へ送る。料金情報生成部１２３は、この通知を受けると、携帯電話機１３０から送信された注文情報内の商品購入額の合計と送料を加算した合計金額（以下「料金情報」と称する）を算出し、この料金情報と対応する注文取引番号及び携帯電話機１３０のＭＡＣアドレスとを送受信部１２１へ送る。送受信部１２１は、これら料金情報、注文取引番号及び携帯電話機１３０のＭＡＣアドレスを代行徴収サーバ１１０へ送信する。
【００８１】
代行徴収サーバ１１０内の送受信部１１１は、ショップサーバ１２０から送信される料金情報、注文取引番号及び携帯電話機１３０のＭＡＣアドレスを受信し、代行徴収処理部１１４へ送る。代行徴収処理部１１４は、これら料金情報、注文取引番号及びＭＡＣアドレスを対応付けて認証ＤＢ１１８に登録する。
【００８２】
次に代行徴収処理部１１４は、携帯電話機１３０のＭＡＣアドレスをキーとして認証ＤＢ１１８を検索し、当該ＭＡＣアドレスに対応する請求金額情報とネット取引購入限度額とを抽出する。次に代行徴収処理部１１４は、認証ＤＢ１１８に登録されている請求金額情報とショップサーバ１２０からの料金情報の注文による金額とを加算し、この算出した金額がネット取引購入限度額に達しているか否かを判定する。
【００８３】
認証ＤＢ１１８に登録されている請求金額情報とショップサーバ１２０からの料金情報の注文による金額とを加算した金額がネット取引購入限度額に達している場合には、代行徴収処理部１１４は、限度額に達しているために代行徴収を中止する旨の通知を、送受信部１１１を介してショップサーバ１２０へ送信し、一連の処理を終了する。この場合、ショップサーバ１２０は、携帯電話機１３０に対し、限度額に達しているために代行徴収を中止する旨の通知を行う。
【００８４】
なお、携帯電話会社と携帯電話機１３０の契約者で締結した契約内容に反しない限り、携帯電話機１３０の利用者が所定の操作を行うことにより、認証ＤＢ１１８に登録されている限度額を変更することが可能である。
【００８５】
一方、認証ＤＢ１１８に登録されている請求金額情報とショップサーバ１２０からの料金情報の注文による金額とを加算した金額がネット取引購入限度額に達していない場合には、代行徴収処理部１１４は、ショップサーバ１２０から送信されるＭＡＣアドレスにより特定される携帯電話機１３０に対し、送受信部１１１を介してネット取引応答を送信する。
【００８６】
携帯電話会社パケット網１６０に構成される加入者情報管理装置１６５内の加入者情報管理部１６７は、携帯電話会社と携帯電話機１３０の契約者との間の契約に基づいて、携帯電話機１３０のＭＡＣアドレスと、ネット取引フラグとを対応付けて保有する。また、加入者情報管理部１６７は、代行徴収サーバ１１０のＭＡＣアドレスを保有する。
【００８７】
接続可否判定部１６６は、携帯電話会社パケット網１６０を伝送されるネット取引応答を含んだパケットの発信元情報（ＭＡＣアドレス）と、加入者情報管理部１６７が保有している代行徴収サーバ１１０のＭＡＣアドレスとを比較して、当該パケットの発信元が代行徴収サーバ１１０であるか否かを判定する。また、接続可否判定部１６６は、当該パケットの着信先情報（ＭＡＣアドレス）と、加入者情報管理部１６７が保有している携帯電話機１３０のＭＡＣアドレスとを比較して、当該パケットの着信先が携帯電話機１３０であるか否かを判定する。
【００８８】
これら判定の結果、パケットの発信元が代行徴収サーバ１１０であり、着信先が携帯電話機１３０である場合には、接続可否判定部１６６は、加入者情報管理部１６７において、着信先の携帯電話機１３０のＭＡＣアドレスに対応するネット取引フラグが設定されているか否かを判定する。ネット取引フラグが設定されている場合には、接続可否判定部１６６は、通信制御部１６８に対して、携帯電話会社パケット網１６０を伝送されるネット取引応答を含んだパケットを携帯電話機１３０へ転送するように要求する。通信制御部１６８は、この要求に応じて、携帯電話機１３０がショップサーバ１２０と通信を行っている場合においても、当該パケットを携帯電話機１３０へ転送する。
【００８９】
なお、パケットの発信元が代行徴収サーバ１１０でない場合には、通信制御部１６８は、携帯電話機１３０への接続を行わない。また、加入者情報管理部１６７に、着信先の携帯電話機１３０のＭＡＣアドレス及び当該ＭＡＣアドレスに対応するネット取引フラグが設定されていない場合には、加入者情報管理装置１６５は、ショップサーバ１２０に対する注文が携帯電話会社と契約されていない携帯電話機１３０からの注文とみなし、その旨をショップサーバ１２０及び携帯電話１３０へ通知する。
【００９０】
携帯電話機１３０内の送受信部１３１は、ネット取引応答を含んだパケットを受信し、制御部１３７へ送る。携帯電話機１３０内のメモリ（図示せず）には、契約者と携帯電話会社との代行徴収に関する契約時において、ショップサーバ１２０との通信と代行徴収サーバ１１０との通信を並行して行うことを許容する情報であるネット取引フラグが設定されている。制御部１３７は、ショップサーバ１２０と通信を行っている間に、代行徴収サーバ１１０からのネット取引応答を含んだパケットを受信した際に、ネット取引フラグが設定されているか否かを判定する。また、注文認識部１３５は、利用者による所定の操作が行われた場合には、商品が注文されたことを認識し、その旨を制御部１３７へ通知する。
【００９１】
そして、制御部１３７は、ネット取引フラグが設定され、且つ、商品が注文されたことを認識した場合には、ディスプレイにネット取引用パスワードの入力を促す画面を表示する。
【００９２】
携帯電話機１３０の利用者が所定の操作によりネット取引用パスワードを入力した場合には、制御部１３７は、自機のＭＡＣアドレスとともに、この入力されたネット取引用パスワードを、送受信部１３１を介して代行徴収サーバ１１０へ送信する。
【００９３】
なお、ネット取引用パスワードの入力ミスが生じた場合、携帯電話機１３０は以下のような処理を行うことができる。すなわち、携帯電話機１３０は、予め決められた所定回数まで、ネット取引用パスワードの再入力を受け付け、入力ミスがその所定回数に達した場合には、当該携帯電話機１３０を操作する者が契約者及び当該契約者に認められた利用者ではないと判断し、その旨を代行徴収サーバ１１０及びショップサーバ１２０へ通知する。ショップサーバ１２０は、当該携帯電話機１３０に対して、商取引ができない旨の通知を行う。
【００９４】
ネット取引用パスワードは、携帯電話機１３０の利用者の操作により変更可能である。具体的には、携帯電話機１３０の利用者が所定の操作により、契約時に当該契約者に対応する暗証番号及び新たなネット取引用パスワードを入力した場合には、制御部１３７は、自機のＭＡＣアドレスとともに、これら入力された暗証番号及びネット取引用パスワードを、送受信部１３１を介して代行徴収サーバ１１０へ送信する。
【００９５】
代行徴収サーバ１１０内の送受信部１１１は、携帯電話機１３０からの当該携帯電話機１３０のＭＡＣアドレス、暗証番号及びネット取引用パスワードを受信し、携帯電話機認証部１１３へ送る。携帯電話機認証部１１３は、携帯電話機１３０のＭＡＣアドレス、暗証番号及びネット取引用パスワードを受けると、ＭＡＣアドレス及び暗証番号をキーとして認証ＤＢ１１８を検索する。そして、認証ＤＢ１１８に、携帯電話機１３０からのＭＡＣアドレスと暗証番号とが対応付けられている場合には、携帯電話機認証部１１３は、携帯電話機１３０からのネット取引用パスワードを、これらＭＡＣアドレス及び暗証番号に対応付けて登録する。
【００９６】
代行徴収サーバ１１０内の送受信部１１１は、携帯電話機１３０からの当該携帯電話機１３０のＭＡＣアドレス及びネット取引用パスワードを受信し、携帯電話機認証部１１３へ送る。また、送受信部１１１は、携帯電話機１３０のＭＡＣアドレスを代行徴収処理部１１４へ送る。
【００９７】
携帯電話機認証部１１３は、携帯電話機１３０のＭＡＣアドレスをキーとして認証ＤＢ１１８を検索する。そして、認証ＤＢ１１８に携帯電話機１３０からのＭＡＣアドレスが登録されており、当該ＭＡＣアドレスに対応付けられて登録されているネット取引用パスワードが携帯電話機１３０から送られたネット取引用パスワードと一致した場合には、携帯電話機認証部１１３は認証が成功したと判断し、その旨を、送受信部１１１を介して代行徴収処理部１１４へ通知する。
【００９８】
携帯電話機認証部１１３による認証が成功した場合、代行徴収処理部１１４は、ショップサーバ１２０からの携帯電話機１３０のＭＡＣアドレス又は携帯電話機１３０からの当該携帯電話機１３０のＭＡＣアドレスに基づいて、携帯電話機１３０を特定し、この特定した携帯電話機１３０に対し、代行徴収の了承を要求する旨の通知（以下「代行徴収確認」と称する）を、送受信部１１１を介して送信する。
【００９９】
携帯電話機１３０内の送受信部１３１は、代行徴収サーバ１１０からの代行徴収確認を受信し、代行徴収処理部１３４へ送る。代行徴収処理部１３４は、この代行徴収確認に基づいて、利用者に代行徴収の了承又は不承を選択させるために、図４に示すような画面をディスプレイに表示する。代行徴収処理部１３４は、利用者の選択に応じて、代行徴収の了承又は不承を判定し、代行徴収の了承された旨又は不承された旨の通知を、送受信部１３１を介して代行徴収サーバ１１０へ送信する。
【０１００】
代行徴収サーバ１１０内の送受信部１１１は、携帯電話機１３０から送信される代行徴収が了承された旨又は不承された旨の通知を受信し、代行徴収処理部１１４へ送る。代行徴収処理部１１４は、代行徴収が了承された旨の通知を受けた場合には、送受信部１１１を介してショップサーバ１２０に対し、代行徴収を行う旨の通知を行う。
【０１０１】
ショップサーバ１２０内の送受信部１２１は、この代行徴収を行う旨の通知を受信し、商取引処理部１２４へ送る。商取引処理部１２４は、代行徴収を行う旨の通知を受けた場合、換言すれば、携帯電話機１３０の利用者により代行徴収が了承された場合には、注文の内容に関する情報を生成するとともに、当該注文の内容及び注文を承諾した旨の通知を、送受信部１２１を介して携帯電話機１３０へ送信する。
【０１０２】
一方、代行徴収サーバ１１０内の代行徴収処理部１１４は、代行徴収が不承された旨の通知を受けた場合には、送受信部１１１を介して携帯電話機１３０及びショップサーバ１２０に対し、代行徴収を中止する旨の通知を行う。
【０１０３】
ショップサーバ１２０内の送受信部１２１は、この代行徴収を中止する旨の通知を受信し、商取引処理部１２４へ送る。商取引処理部１２４は、代行徴収を中止する旨の通知を受けた場合、換言すれば、携帯電話機１３０の利用者により代行徴収が不承された場合には、注文を承諾しない旨の通知を、送受信部１２１を介して携帯電話機１３０へ送信する。
【０１０４】
携帯電話機１３０内の送受信部１３１は、ショップサーバ１２０から送信される注文の内容及び注文を承諾した旨の通知を受信し、注文情報管理部１３２へ送る。注文情報管理部１３２は、注文の内容及び注文を承諾した旨の通知を受けると、対応する注文情報と注文取引番号とを例えばメモリ（図示せず）に登録する。
【０１０５】
ショップサーバ１２０にショッピングサイトを開設するインターネットショップ会社は、携帯電話機１３０の利用者により代行徴収が了承された場合には、携帯電話機１３０の契約者に対し、商品と納品書とを発送する。納品書には、該当取引に対応する納品確認番号が付与されている。この納品確認番号は注文取引番号に対応付けられて、注文ＤＢ１２８に登録されている。
【０１０６】
次に、商品納入時の処理が行われる。携帯電話機１３０の利用者が商品及び納品書を受け取った後、携帯電話機１３０は、その利用者の操作に応じて、所定の接続シーケンスでショップサーバ１２０にアクセスする。そして、携帯電話機１３０の利用者が所定の操作により携帯電話機１３０に対し、納品書に付与された納品確認番号を入力すると、携帯電話機１３０は、この入力された納品確認番号をショップサーバ１２０へ送信する。
【０１０７】
商取引対象受領認識部１３６は、利用者による所定の操作が行われた場合には、商品が納入されたことを認識し、その旨を制御部１３７へ通知する。
【０１０８】
ショップサーバ１２０内の送受信部１２１は、携帯電話機１３０からの納品確認番号を受信し、商取引処理部１２４へ送る。商取引処理部１２４は、納品確認番号を受けると、所定の納品確認処理を行う。具体的には、商取引処理部１２４は、受け取った納品確認番号をキーとして注文ＤＢ１２８を検索し、当該納品確認番号に対応する注文取引番号と注文情報とを抽出する。
【０１０９】
次に商取引処理部１２４は、送受信部１２１を介して、代行徴収サーバ１９０に対し、ショップ識別番号及び認証パスワードを送信する。代行徴収サーバ１１０内の送受信部１１１は、ショップサーバ１２０から送信されるショップ識別番号及び認証パスワードを受信すると、これらをショップサーバ認証部１１２へ送る。ショップサーバ認証部１１２は、受け取ったショップ識別番号及び認証パスワードをキーとして認証ＤＢ１１８を検索する。認証ＤＢ１１８にショップサーバ１２０からのショップ識別番号と認証パスワードが対応付けられて登録されている場合には、ショップサーバ認証部１１２は認証が成功した旨の通知を、送受信部１１１を介してショップサーバ１２０へ送信する。これにより、代行徴収サーバ１１０は、以降のショップサーバ１２０からのアクセスを許可する。
【０１１０】
なお、代行徴収サーバ１１０とショップサーバ１２０間の回線や各サーバの故障等により、代行徴収サーバ１１０における認証が失敗した場合には、代行徴収サーバ１１０及びショップサーバ１２０は、その故障を検知する。そして、ショップサーバ１２０は、携帯電話機１３０に対し、しばらく経ってから再度納品確認番号を通知するように要求する旨の通知を送出する。携帯電話機１３０は、この通知をディスプレイ等に表示して、利用者に知らせる。
【０１１１】
あるいは、注文時に認証が成功したにもかかわらず、商品納入時に認証が失敗することは基本的には発生しないため、緊急措置として、ショップサーバ１２０は、携帯電話機１３０に対し、トラブルの発生等を通知し、代行徴収サーバ１１０とショップサーバ１２０は、故障の切り分けを実施し、所定の措置を行う。
【０１１２】
また、インターネット会社が携帯電話機１３０の利用者（商品購入者）へ商品を発送したにもかかわらず、携帯電話機１３０からショップサーバ１２０へ納品確認番号が送信されなかった場合には、商品購入者が処理を忘れていた、あるいは、商品が到着していない等の問題が想定される。この場合には、インターネットショップ会社と携帯電話機１３０の契約者との売買契約（この売買契約は、例えば携帯電話機１３０の利用者が商品を注文する際に開示される）に基づく措置が実施される。
【０１１３】
ショップサーバ１２０内の送受信部１２１は、代行徴収サーバ１１０からの認証が成功した旨の通知を受信し、商取引処理部１２４へ送る。商取引処理部１２４は、この通知を受けると、送受信部１２１を介して代行徴収サーバ１１０に対し、納品確認応答を送信する。この納品確認応答には、ショップ識別番号、注文取引番号、請求書に記載される情報として商品名、個数、取引金額及び支払方法等が含まれる。
【０１１４】
代行徴収サーバ１１０内の送受信部１１１は、ショップサーバ１２０から送信される納品確認応答を受信し、代行徴収処理部１１４へ送る。代行徴収処理部１１５は、この納品確認応答に含まれる注文取引番号を抽出、認識し、更に、この注文取引番号に対応付けられて認証ＤＢ１１８に登録されているＭＡＣアドレスを抽出する。そして、代行徴収処理部１１４は、抽出したＭＡＣアドレスにより特定される携帯電話機１３０に対し、送受信部１１１を介してネット取引応答を送信する。
【０１１５】
加入者情報管理装置１６５は、注文時と同様の処理を行う。すなわち、加入者情報管理装置１６５内の接続可否判定部１６６は、携帯電話会社パケット網１６０を伝送されるネット取引応答を含んだパケットの発信元情報（ＭＡＣアドレス）と、加入者情報管理部１６７によって保有されている代行徴収サーバ１１０のＭＡＣアドレスとを比較して、当該パケットの発信元が代行徴収サーバ１１０であるか否かを判定する。また、接続可否判定部１６６は、当該パケットの着信先情報（ＭＡＣアドレス）と、加入者情報管理部１６７によって保有されている携帯電話機１３０のＭＡＣアドレスとを比較して、当該パケットの着信先が携帯電話機１３０であるか否かを判定する。これら判定の結果、パケットの発信元が代行徴収サーバ１１０であり、着信先が携帯電話機１３０である場合には、接続可否判定部１６６は、加入者情報管理部１６７において、着信先の携帯電話機１３０のＭＡＣアドレスに対応するネット取引フラグが設定されているか否かを判定する。ネット取引フラグが設定されている場合には、接続可否判定部１６６は、通信制御部１６８に対して、携帯電話会社パケット網１６０を伝送されるネット取引応答を含んだパケットを携帯電話機１３０へ転送するように要求する。通信制御部１６８は、この要求に応じて、携帯電話機１３０がショップサーバ１２０と通信を行っている場合においても、当該パケットを携帯電話機１３０へ転送する。
【０１１６】
携帯電話機１３０内の送受信部１３１は、ネット取引応答を含んだパケットを受信し、制御部１３７へ送る。制御部１３７は、ショップサーバ１２０と通信を行っている間に、代行徴収サーバ１１０からのネット取引応答を含んだパケットを受信した際に、ネット取引フラグが設定されているか否かを判定する。  制御部１３７は、ネット取引フラグが設定され、且つ、商品が注文されたことを認識した場合には、ディスプレイにネット取引用パスワードの入力を促す画面を表示する。
【０１１７】
携帯電話機１３０の利用者が所定の操作によりネット取引用パスワードを入力した場合には、制御部１３７は、自機のＭＡＣアドレスとともに、この入力されたネット取引用パスワードを、送受信部１３１を介して代行徴収サーバ１１０へ送信する。
【０１１８】
なお、代行徴収サーバ１１０からのネット取引応答に対し、携帯電話機１３０の利用者がネット取引用パスワードを入力しなかった場合には、携帯電話会社から携帯電話機１３０の契約者へ連絡する。そして、商取引上の問題があったために、携帯電話機１３０の利用者がネット取引用パスワードを入力しなかった場合には、携帯電話機１３０の契約者とインターネットショップ会社との間で問題を解決する。また、代行徴収上の問題があったために、携帯電話機１３０の利用者がネット取引用パスワードを入力しなかった場合には、携帯電話機１３０の契約者と携帯電話会社との間で問題を解決する。なお、ネット取引用パスワードの入力ミスが生じた場合、携帯電話機１３０は以下のような処理を行うことができる。すなわち、携帯電話機１３０は、予め決められた所定回数まで、ネット取引用パスワードの再入力を受け付け、入力ミスがその所定回数に達した場合には、当該携帯電話機１３０を操作する者が契約者及び当該契約者に認められた利用者ではないと判断し、その旨を代行徴収サーバ１１０及びショップサーバ１２０へ通知する。その後は、インターネットショップ会社と該当の携帯電話機１３０の契約者との間で商取引上の問題を解決する。
【０１１９】
代行徴収サーバ１１０内の送受信部１１１は、携帯電話機１３０からの当該携帯電話機１３０のＭＡＣアドレス及びネット取引用パスワードを受信し、携帯電話機認証部１１３へ送る。携帯電話機認証部１１３は、携帯電話機１３０のＭＡＣアドレスをキーとして認証ＤＢ１１８を検索する。そして、認証ＤＢ１１８に携帯電話機１３０からのＭＡＣアドレスが登録されており、当該ＭＡＣアドレスに対応付けられて登録されているネット取引用パスワードが携帯電話機１３０から送られたネット取引用パスワードと一致した場合には、携帯電話機認証部１１３は認証が成功した、換言すれば、携帯電話機１３０の契約者を確認したと判断し、その旨を、送受信部１１１を介して代行徴収処理部１１４へ通知する。
【０１２０】
代行徴収処理部１１４は、携帯電話機認証部１１３による認証が成功した場合、送受信部１１１を介してショップサーバ１２０に対し、代行徴収受諾応答を送信する。この代行徴収受諾応答には、対応する注文取引番号と、携帯電話機１３０のＭＡＣアドレスが含まれている。
【０１２１】
ショップサーバ１２０内の送受信部１２１は、代行徴収受諾応答を受信し、商取引処理部１２４へ送る。商取引処理部１２４は、この代行徴収受諾応答に含まれるＭＡＣアドレスにより特定される携帯電話機１３０に対し、送受信部１２１を介して、納品確認完了を送信する。この納品確認完了には、対応する注文取引番号が含まれている。
【０１２２】
携帯電話機１３０内の送受信部１３１は、この納品確認完了を受信し、商取引完了処理部１３８へ送る。商取引完了処理部１３８は、メモリに記憶されている注文情報のうち、この納品確認完了に含まれる注文取引番号に対応する注文情報に対し、例えば商取引完了を示すフラグを付加する等、所定の処理を行う。
【０１２３】
代行徴収サーバ１１０内の代行徴収処理部１１４は、代行徴収受諾応答の送信後、料金請求処理部１１５に対し、ショップサーバ１２０からの納品確認応答に含まれる注文取引番号と、携帯電話機１３０からの当該携帯電話機１３０のＭＡＣアドレスを通知するとともに、料金請求処理を指示する。料金請求処理部１１５は、この指示に応じて、代行徴収のための携帯電話機１３０の契約者に対する所定の料金代行請求処理を行う。具体的には、料金請求処理部１１５は、ショップサーバ１２０からの納品確認応答に含まれる注文取引番号をキーとして認証ＤＢ１１８を検索し、この注文取引番号に対応する料金情報を抽出する。また、料金請求処理部１１５は、携帯電話機１３０からの当該携帯電話機１３０のＭＡＣアドレスをキーとして認証ＤＢ１１８を検索し、このＭＡＣアドレスに対応する請求金額情報を抽出する。
【０１２４】
次に料金請求処理部１１５は、抽出した料金情報の注文による金額と抽出した請求金額情報に対応する金額とを加算し、その算出した金額を新たな請求金額情報として認証ＤＢ１１８に登録する。認証ＤＢ１１８に登録されている請求金額情報は、携帯電話機１３０の契約者に対する通信料金の請求処理の際に、当該通信料金と加算され、携帯電話機１３０の契約者に請求される。また、認証ＤＢ１１８に登録された請求金額情報は、携帯電話機１３０の契約者による料金納付があった際に削除される。なお、トラブル対応のため、携帯電話会社は、請求に関する情報について、一定期間のバックアップを取るようにする。
【０１２５】
携帯電話機１３０の契約者による料金納付があった場合には、携帯電話会社は、インターネットショップ会社との間で定められた契約に基づいて、携帯電話機１３０の契約者によって納付された料金から所定の手数料を差し引いた金額をインターネットショップ会社に対して納付する。
【０１２６】
なお、携帯電話機１３０の契約者が未払い等の契約違反行為を行った場合には、携帯電話会社は、取引契約を強制的に解約する等、契約上に規定した措置を実施する。また、インターネットショップ会社が契約違反行為を行った場合には、携帯電話会社は、代行徴収に関する契約を強制的に解約する等、契約上に規定した措置を実施する。
【０１２７】
次に、図５及び図６のシーケンス図を参照しつつ、料金代行徴収システム１００の動作を説明する。図５は商品注文時の料金代行徴収システム１００の動作を示すシーケンス図である。
【０１２８】
携帯電話機１３０の利用者が商品を注文する際、携帯電話機１３０は、利用者の操作に応じて、インターネットショップへの接続動作を行い（ステップ１０１）、所定の接続シーケンスによりショップサーバ１２０にアクセスする（ステップ１０２）。
【０１２９】
次に、携帯電話機１３０は、ショップサーバ１２０から送信される商取引の対象に関する情報に基づいて、商品情報画面を生成し、表示する。そして、携帯電話機１３０の利用者による注文のための操作に応じて、注文情報を生成する（ステップ１０３）。更に、携帯電話機１３０は、この注文情報を、対応する注文取引番号及び自機のＭＡＣアドレスとともに、ショップサーバ１２０へ送信する（ステップ１０４）。また、携帯電話機１３０は、利用者の所定の操作により、商品が注文されたことを認識する（ステップ１０５）。
【０１３０】
ショップサーバ１２０は、注文情報、注文取引番号及び携帯電話機１３０のＭＡＣアドレスを受信すると、これらを注文ＤＢ１２８に登録し、納期等の確認処理を行う（ステップ１０６）。
【０１３１】
次に、ショップサーバ１２０は、代行徴収サーバ１９０に対し、所定の認証シーケンスにより、自サーバに付与されたショップ識別番号及び認証パスワードを送信する（ステップ１０７）。
【０１３２】
代行徴収サーバ１１０において、これらショップ識別番号及び認証パスワードに基づく認証が成功した場合、ショップサーバ１２０は、代行徴収サーバ１１０に対し、商品購入額の合計と送料を加算した合計金額である料金情報、注文取引番号及び携帯電話機１３０のＭＡＣアドレスを送信する（ステップ１０８）。
【０１３３】
代行徴収サーバ１１０は、ショップサーバ１２０から送信される料金情報、注文取引番号及びＭＡＣアドレスを対応付けて認証ＤＢ１１８に登録するとともに、携帯電話機１３０に対し、ネット取引応答を送信する（ステップ１０９）。
【０１３４】
。そして、携帯電話機１３０は、ショップサーバ１２０と通信を行っている間に、代行徴収サーバ１１０からのネット取引応答を含んだパケットを受信した際、自機にネット取引フラグが設定されているため、ネット取引用パスワードの入力を促す画面を表示する（ステップ１１０）。
【０１３５】
携帯電話機１３０の利用者が所定の操作によりネット取引用パスワードを入力した場合には、携帯電話機１３０は、自機のＭＡＣアドレスとともに、入力されたネット取引用パスワードを代行徴収サーバ１１０へ送信する（ステップ１１１）。
【０１３６】
代行徴収サーバ１１０は、携帯電話機１３０からの当該携帯電話機１３０のＭＡＣアドレス及びネット取引用パスワードを受信すると、当該携帯電話機１３０に対し、代行徴収の了承を要求する旨の通知である代行徴収確認を送信する（ステップ１１２）。
【０１３７】
携帯電話機１３０は、代行徴収サーバ１１０からの代行徴収確認を受信すると、契約者に代行徴収の了承又は不承を選択させるための画面を表示し、利用者によって代行徴収の了承が選択された場合には、その旨の通知である代行徴収返答を代行徴収サーバ１１０へ送信する（ステップ１１３）。
【０１３８】
代行徴収サーバ１１０は、携帯電話機１３０から送信される代行徴収返答を受信した場合には、ショップサーバ１２０に対し、代行徴収を行う旨の通知である代行徴収結果を送信する（ステップ１１４）。ショップサーバ１２０は、この代行徴収結果を受信すると、注文の内容及び注文を承諾した旨の通知を携帯電話機１３０へ送信する（ステップ１１５）。携帯電話機１３０は、ショップサーバ１２０から送信される注文の内容及び注文を承諾した旨の通知を受信した場合、対応する注文情報と注文取引番号とを例えばメモリ等に登録する（ステップ１１６）。
【０１３９】
図６は商品納入時の料金代行徴収システム１００の動作を示すシーケンス図である。携帯電話機１３０の利用者が商品及び納品書を受け取った後、携帯電話機１３０は、その利用者の操作に応じて、インターネットショップへの接続動作を行い（ステップ２０１）、所定の接続シーケンスによりショップサーバ１２０にアクセスする（ステップ２０２）。次に、携帯電話機１３０は、利用者によって入力された納品確認番号をショップサーバ１２０へ送信する（ステップ２０３）。また、携帯電話機１３０は、利用者の所定の操作により、商品が納品されたことを認識する（ステップ２０４）。
【０１４０】
ショップサーバ１２０は、携帯電話機１３０からの納品確認番号を受信すると、当該納品確認応答に含まれる注文取引番号を認識する等、所定の納品確認処理を行う（ステップ２０５）。次に、ショップサーバ１２０は、所定の認証シーケンスにより、自サーバに付与されたショップ識別番号及び認証パスワードを送信する（ステップ２０６）。
【０１４１】
代行徴収サーバ１１０において、これらショップ識別番号及び認証パスワードに基づく認証が成功した場合、ショップサーバ１２０は、代行徴収サーバ１１０に対し、ショップ識別番号、注文取引番号、請求書に記載される情報として商品名、個数、取引金額及び支払方法等を含んだ納品確認応答を送信する（ステップ２０７）。
【０１４２】
代行徴収サーバ１１０は、ショップサーバ１２０から送信される納品確認応答に含まれる注文取引番号に対応付けられて認証ＤＢ１１８に登録されているＭＡＣアドレスを抽出し、このＭＡＣアドレスにより特定される携帯電話機１３０に対し、ネット取引応答を送信する（ステップ２０８）。
そして、携帯電話機１３０は、ショップサーバ１２０と通信を行っている間に、代行徴収サーバ１１０からのネット取引応答を含んだパケットを受信した際、自機にネット取引フラグが設定されているため、ネット取引用パスワードの入力を促す画面を表示する（ステップ２０９）。
【０１４３】
携帯電話機１３０の利用者が所定の操作によりネット取引用パスワードを入力した場合には、携帯電話機１３０は、自機のＭＡＣアドレスとともに、入力されたネット取引用パスワードを代行徴収サーバ１１０へ送信する（ステップ２１０）。
【０１４４】
代行徴収サーバ１１０は、携帯電話機１３０からの当該携帯電話機１３０のＭＡＣアドレス及びネット取引用パスワードを受信することにより、携帯電話機１３０の利用者の元へ商品が納品されたことを認識し、次に、ショップサーバ１２０に対し、代行徴収受諾応答を送信する（ステップ２１１）。この代行徴収受諾応答には、対応する注文取引番号と、携帯電話機１３０のＭＡＣアドレスが含まれている。
【０１４５】
ショップサーバ１２０は、代行徴収サーバ１１０からの代行徴収受諾応答を受信すると、当該代行徴収受諾応答に含まれるＭＡＣアドレスにより特定される携帯電話機１３０に対して、納品確認完了を送信する（ステップ２１２）。この納品確認完了には、対応する注文取引番号が含まれている。
【０１４６】
携帯電話機１３０は、この納品確認完了を受信すると、メモリ等に記憶されている注文情報のうち、納品確認完了に含まれる注文取引番号に対応する注文情報に対し、例えば商取引完了を示すフラグを付加する等、納品完了の処理を行う。
【０１４７】
また、代行徴収サーバ１１０は、代行徴収受諾応答の送信後、代行徴収のための携帯電話機１３０の契約者に対する所定の料金代行請求処理を行う（ステップ２１４）。
【０１４８】
このように料金代行徴収システム１００では、ネット取引において、携帯電話機１３０が利用者の操作によりショップサーバ１２０にアクセスして商品等を注文した場合に、携帯電話会社が所有する代行徴収サーバ１１０は、インターネットショップ会社に代わって携帯電話機１３０の契約者に対する料金代行請求を行う。従って、ショッピングサイトとの間で商取引を行う者に対し、従来にない料金支払方法を提供し、料金支払方法を多様化することができる。
【０１４９】
上記実施形態において、携帯電話機１３０内の送受信部１３１及び注文情報管理部１３２が第１の情報送信手段に対応し、ショップサーバ１２０内の送受信部１２１及び料金情報生成部１２３が第２の情報送信手段に対応し、代行徴収サーバ１１０内の料金請求処理部１１５が料金代行請求手段に対応する。
【０１５０】
また、代行徴収サーバ１１０内の送受信部１１１及び代行徴収処理部１１４が代行徴収了承確認送信手段に対応し、携帯電話機１３０内の送受信部１３１及び代行徴収処理部１３４が代行徴収了承可否手段に対応する。更には、代行徴収サーバ１１０内のショップサーバ認証部１１２がショップサーバ認証手段に対応し、携帯電話機１３０内の送受信部１３１がパスワード送信手段に対応し、代行徴収サーバ１１０内の携帯電話機認証部１１３が契約者確認手段に対応する。
【０１５１】
また、代行徴収サーバ１１０内の携帯電話認証部１１３がパスワード変更手段に対応する。更には、送受信部１１１及び代行徴収処理部１１４が限度額超過通知手段に対応し、携帯電話機１３０内の送受信部１３１及び代行徴収処理部１３４が限度額変更要求手段に対応する。
【０１５２】
また、ショップサーバ１２０内の送受信部１２１及び商取引対象情報生成部１２２が商取引対象情報送信手段に対応し、送受信部１２１及び商取引処理部１２４が商取引情報送信手段に対応する。また、加入者情報管理装置１６５内の接続可否判定部１６６が接続可否判定手段に対応し、通信制御部１６８が第１の通信制御手段に対応し、加入者情報管理部１６７が情報保有手段に対応する。
【０１５３】
更に、携帯電話機１３０内の注文認識部１３５が注文認識手段に対応し、制御部１３７が第２の通信制御手段に対応する。また、携帯電話機１３０内の商取引対象受領認識部１３６が商取引対象受領認識手段に対応し、制御部１３７が第３の通信制御手段に対応する。また、携帯電話機１３０内の注文情報管理部１３２が注文情報管理手段に対応し、商取引完了処理部１３８が商取引完了手段に対応する。
【０１５４】
【発明の効果】
上述の如く、本発明によれば、利用者の操作に応じて移動端末がショップサーバにアクセスして商品等を注文した場合に、代行徴収サーバは、ショップサーバにショッピングサイトを開設する者に代わって移動端末の契約者に対する料金代行請求及び料金代行徴収を行う。従って、ショッピングサイトとの間で商取引を行う者に対し、従来にない料金支払方法を提供し、料金支払方法の多様化を図ることが可能となる。
【図面の簡単な説明】
【図１】料金代行徴収システムの構成例を示す図である。
【図２】商品情報画面の一例を示す図である。
【図３】注文情報画面の一例を示す図である。
【図４】契約者に代行徴収の了承又は不承を選択させる画面の一例を示す図である。
【図５】商品注文時の料金代行徴収システムの動作を示すシーケンス図である。
【図６】商品納入時の料金代行徴収システムの動作を示すシーケンス図である。
【符号の説明】
１００  料金代行徴収システム
１１０  代行徴収サーバ
１１１  送受信部
１１２  ショップサーバ認証部
１１３  携帯電話機認証部
１１４  代行徴収処理部
１１５  料金請求処理部
１１８  認証データベース
１２０  ショップサーバ
１２１  送受信部
１２２  商取引対象情報生成部
１２３  料金情報生成部
１２４  商取引処理部
１２８  注文データベース
１３０  携帯電話機
１３１  送受信部
１３２  注文情報管理部
１３４  代行徴収処理部
１３５  注文認識部
１３６  商取引対象受領認識部
１３７  制御部
１３８  商取引完了処理部
１４０  サービスオーダシステム
１５０  インターネット
１６０  携帯電話会社パケット網
１６５  加入者情報管理装置
１６６  接続可否判定部
１６７  加入者情報管理部
１６８  通信制御部
１７０  基地局
【図１】
0004084556.tif 000002
【図２】
0004084556.tif 000003
【図３】
0004084556.tif 000004
【図４】
0004084556.tif 000005
【図５】
0004084556.tif 000006
【図６】
0004084556.tif 000007